(57)【要約】【課題】原稿の裏面（第２面）に形成された写真画像に対して信頼性に優れたシェーディング補正を行い、文字画像の場合にはシェーディング補正を効率的に行う。【解決手段】スキャナ１０にて読み取られる原稿の第１面の画像と、第２読取手段２６にて読み取られる原稿の第２面の画像とは、通常、黒色基準面および白色基準面の読取結果に基づく黒色レベル補正係数と白色レベル補正係数と配光補正係数とによってシェーディング補正を行うが、第２読取手段２６にて読み取られる原稿の第２面の画像が文字画像の場合には、原稿の第２面の先端部の余白部分の第２読取手段２６による読取結果に基づいて演算された配光補正係数によって、第２読取手段２６によって得られた画像データを簡易シェーディング補正する。【選択図】図２
2010004110.tif 000002
【特許請求の範囲】
【請求項１】
原稿の第１面の画像を読み取る第１読取手段と、
前記原稿の第２面の画像を読み取る第２読取手段と、
前記第１読取手段によって得られた前記第１面の画像データに対して、該第１読取手段による第１白色基準面の読取結果に基づいてシェーディング補正を行う第１シェーディング補正手段と、
前記第２読取手段によって得られた前記第２面の画像データに対して、該第２読取手段による第２白色基準面の読取結果に基づいてシェーディング補正を行う第２シェーディング補正手段と、
前記第２面の画像データに対して、前記原稿の第２面の余白部分の前記第２読取手段による読取結果に基づいてシェーディング補正を行う簡易シェーディング補正手段と、
を備えていることを特徴とする画像読取装置。
【請求項２】
前記原稿の第２面の画像が写真モードであることを指示する指示手段をさらに備え、
該指示手段によって前記写真モードが指示されない場合に、前記簡易シェーディング補正手段によるシェーディング補正が実施されることを特徴とする請求項１に記載の画像読取装置。
【請求項３】
前記原稿のシート特性に応じて前記第２シェーディング補正手段および前記簡易シェーディング補正手段のいずれかが選択的に使用されることを特徴とする請求項１に記載の画像読取装置。
【請求項４】
前記簡易シェーディング補正手段は、前記原稿の第１面の余白部分の前記第１読取手段による読取結果と、前記第１シェーディング補正手段における前記第１白色基準面の読取結果とに基づいて、前記原稿の第２面の余白部分の前記第２読取手段による読取結果を補正することを特徴とする請求項１〜３のいずれか一項に記載の画像読取装置。
【請求項５】
前記第１読取手段は、
搬送される原稿の第１面に対して光を照射するように、該原稿の搬送方向と直交する方向に沿って対向配置された第１線状光源と、
前記原稿の第１面によって反射された前記第１線状光源からの光を縮小投影する縮小光学系と、
該縮小光学系にて縮小投影された光を受光する第１ラインセンサーと、
を備えることを特徴とする請求項１〜４のいずれか一項に記載の画像読取装置。
【請求項６】
前記第１シェーディング補正手段は、前記第１読取手段による第１黒色基準面の読取結果に基づいて前記第１ラインセンサーの黒色レベル調整を行い、前記第１読取手段による前記第１白色基準面の読取結果に基づいて前記第１ラインセンサーの白色レベル調整および配光補正を行うことを特徴とする請求項５に記載の画像読取装置。
【請求項７】
前記第２読取手段は、
搬送される原稿の第２面に対して光を照射するように、該原稿の搬送方向と直交する方向に沿って対向配置された第２線状光源と、
前記原稿の第２面によって反射された前記第２線状光源からの光を受光する密着型の第２ラインセンサーと、
を備えていることを特徴とする請求項１〜６のいずれか一項に記載の画像読取装置。
【請求項８】
前記第２シェーディング補正手段は、前記第２読取手段による第２黒色基準面の読取結果に基づいて前記第２ラインセンサーの黒色レベル調整を行い、前記第２読取手段による前記第２白色基準面の読取結果に基づいて前記第２ラインセンサーの白色レベル調整および配光補正を行うことを特徴とする請求項７に記載の画像読取装置。
【請求項９】
前記第２ラインセンサーの画像読取位置に回転可能に配置された回転体をさらに備え、
該回転体は、前記画像読取位置に位置決めされる少なくとも２つの側面を有し、該２つの側面のそれぞれに前記第２黒色基準面および前記第２白色基準面が設けられていることを特徴とする請求項８に記載の画像読取装置。
【請求項１０】
請求項１〜９のいずれか一項に記載の画像読取装置と、
該画像読取装置にて読み取られた画像データに基づいて記録シートに画像を形成するプリンタと、
を備えていることを特徴とする画像形成装置。
【発明の詳細な説明】
【技術分野】
【０００１】
本発明は、原稿画像を読み取る画像読取装置、および、その画像読取装置を備えた画像形成装置に関し、特に、表面（第１面）のみならず裏面（第２面）にも画像が形成された原稿において両方の画像を一挙に読み取ることができる技術に関する。
【背景技術】
【０００２】
画像形成装置本体上にＡＤＦ（自動原稿給紙装置）が設けられた複写機等の画像形成装置では、通常、画像形成装置本体に設けられた第１読取部によって、ＡＤＦから給紙される原稿の第１面（表面）に形成された画像を読み取って、読み取られた原稿の画像データに基づいて、画像形成装置本体に設けられたプリンタによって記録シート上に第１面の画像に対応した画像をプリントする。
【０００３】
また、ＡＤＦに、原稿の裏面（第２面）に形成された画像を読み取る第２読取部を設けて、給紙される原稿の第２面の画像を読み取る両面同時読取型の画像読取装置も開発されている。原稿の第２面の画像は、第２読取部によって読み取られた原稿の第２面の画像データに基づいて、第１面と同様に、画像形成装置本体に設けられたプリンタによって原稿の第２面の画像に対応した画像がプリントされる。
【０００４】
画像形成装置本体に設けられた第１読取部は、キセノンランプ、蛍光灯等にて構成された第１線状光源から照射される光にて原稿の第１面を露光して、その反射光を縮小光学系によって縮小した後に、複数の光電変換素子をライン状に配置したＣＣＤ（第１ラインセンサー）によって受光するように構成されている。
また、ＡＤＦに設けられた第２読取部には第２ラインセンサーが設けられている。この第２ラインセンサーとしては、通常、密着型ラインセンサー（ＣＩＳ：Contact Image Sensor）が使用されている。第２読取部には、ＬＥＤ（発光ダイオード）、キセノンランプ等によって構成された第２線状光源が設けられており、第２線状光源によって原稿の第２面に照射された反射光が短焦点レンズアレイによってＣＩＳである第２ラインセンサーに結像される。
【０００５】
このような画像読取装置では、第１読取部および第２読取部のそれぞれにおいて、第１線状光源および第２線状光源から照射される光の光量が、それぞれ軸方向に不均一であることによる露光ムラ、レンズの結像ムラ等の誤差を補正するために、第１読取部および第２読取部のそれぞれにおいてシェーディング補正が実施される。
シェーディング補正では、通常、第１読取部および第２読取部によって原稿画像を読み取る前に、シェーディング補正に必要な補正係数を演算し、その後、第１読取部および第２読部によって原稿画像の画像データが得られると、その画像データを演算された各補正係数に基づいて補正する。
【０００６】
両面同時読取型の画像読取装置には、通常、シェーディング補正に必要な黒色基準データおよび白色基準データをそれぞれ得るための黒色基準面および白色基準面が、第１読取部および第２読取部によって読取可能な位置に設けられている。シェーディング補正時には、第１読取部および第２読取部によって、黒色基準面および白色基準面からの反射光をそれぞれ読み取って、補正に必要な黒色基準データおよび白色基準データを得ている。そして、得られた黒色基準データおよび白色基準データに基づいてシェーディング補正に必要な補正係数が演算される。
【０００７】
シェーディング補正のための補正係数としては、第１ラインセンサーおよび第２ラインセンサーにおける黒色レベルをそれぞれ調整するための黒色レベル補正係数と、第１ラインセンサーおよび第２ラインセンサーにおける白色レベルをそれぞれ調整するための白色レベル補正係数と、第１線状光源および第２線状光源おけるそれぞれの光量のばらつきによる第１ラインセンサーおよび第２ラインセンサーの出力電圧のばらつきを調整するための配光補正係数とがある。
【０００８】
このように、第１読取部および第２読取部によるシェーディング補正には、黒色基準データおよび白色基準データを得るための黒色基準面および白色基準面が第１読取部および第２読取部においてそれぞれ必要になる。しかしながら、第２読取部にて使用される第２ラインセンサーとしては、ＡＤＦ内における第１読取部に近接した位置に配置されるために、通常、密着型ラインセンサー（ＣＩＳ）が使用されており、従って、第２ラインセンサーの周辺には、黒色基準面および白色基準面を設けるスペースを確保することが容易でないという問題がある。
【０００９】
特許文献１には、第２読取部にＣＩＳを用いた構成において、白色基準データを得るための白色基準面を設けずに、予め設定された白色基準データと、第２読取部にて読み取られた原稿の地肌データとに基づいて第２読取部のシェーディング補正を行う構成が開示されている。このような構成によって、第２読取部のシェーディング補正に際して白色基準面を読み取る動作が不要になる。
【特許文献１】特開２００４−２０７７９０号公報
【発明の開示】
【発明が解決しようとする課題】
【００１０】
特許文献１に開示された構成では、原稿の地肌データに基づいて第２読取部のシェーディング補正のための配光補正係数を簡易的に演算しているために、原稿画像の画像データを再現性よく得ることができないおそれがある。特に、写真画像のような高精細な原稿画像を読み取る場合には、原稿の地肌データに基づく簡易的な配光補正係数を用いることにより、高精細な写真画像に対応した画像を忠実に再現できないおそれがある。
【００１１】
本発明は、上記課題を解決するためになされたものであり、原稿の裏面（第２面）に形成された画像が写真画像のように高精細である場合に、高精細画像に対応した適切なシェーディング補正を行うことができ、また、高精細でない文字画像の場合には、迅速にシェーディング補正を行うことができる画像読取装置、および、その画像読取装置を備えた画像形成装置を提供することを目的とする。
【課題を解決するための手段】
【００１２】
上記目的を達成するために、本発明に係る画像読取装置は、原稿の第１面の画像を読み取る第１読取手段と、前記原稿の第２面の画像を読み取る第２読取手段と、前記第１読取手段によって得られた前記第１面の画像データに対して、該第１読取手段による第１白色基準面の読取結果に基づいてシェーディング補正を行う第１シェーディング補正手段と、前記第２読取手段によって得られた前記第２面の画像データに対して、該第２読取手段による第２白色基準面の読取結果に基づいてシェーディング補正を行う第２シェーディング補正手段と、前記第２面の画像データに対して、前記原稿の第２面の余白部分の前記第２読取手段による読取結果に基づいてシェーディング補正を行う簡易シェーディング補正手段と、を備えていることを特徴とする。
【００１３】
また、本発明の画像形成装置は、前記画像読取装置と、該画像読取装置にて読み取られた画像データに基づいて記録シートに画像を形成するプリンタと、を備えていることを特徴とする。
【発明の効果】
【００１４】
本発明の画像読取装置および画像形成装置は、第１読取手段によって得られた画像データに対して、第１読取手段による第１白色基準面の読取結果に基づいてシェーディング補正を行う第１シェーディング補正手段と、第２読取手段によって得られた画像データに対して、第２読取手段による第２白色基準面の読取結果に基づいてシェーディング補正を行う第２シェーディング補正手段とが設けられていることから、原稿の第１面および第２面の原稿画像が写真画像のように高精細の場合には、再現性および信頼性に優れた画像データを得ることができる。また、第２面の原稿画像が文字画像のように高精細でない場合には、第２読取手段にて得られた画像データに対して、簡易シェーディング補正手段によって、原稿の第２面の余白部分の第２読取手段による読取結果に基づいて迅速にシェーディング補正を行うことができる。
【００１５】
好ましくは、前記原稿の第２面の画像が写真モードであることを指示する指示手段をさらに備え、該指示手段によって前記写真モードが指示されない場合に、前記簡易シェーディング補正手段によるシェーディング補正が実施されることを特徴とする。これにより、原稿の第２面の画像が写真モードでない場合に、簡易シェーディング補正手段によって迅速に簡易シェーディング補正を実行することができる。
【００１６】
好ましくは、前記原稿のシート特性に応じて前記第２シェーディング補正手段および前記簡易シェーディング補正手段のいずれかが選択的に使用されることを特徴とする。これにより、簡易シェーディング補正を適切に行うことができる。
好ましくは、前記簡易シェーディング補正手段は、前記原稿の第１面の余白部分の前記第１読取手段による読取結果と、前記第１シェーディング補正手段における前記第１白色基準面の読取結果とに基づいて、前記原稿の第２面の余白部分の前記第２読取手段による読取結果を補正することを特徴とする。これにより、簡易シェーディング補正手段による簡易シェーディング補正の信頼性を向上させることができる。
【００１７】
好ましくは、前記第１読取手段は、搬送される原稿の第１面に対して光を照射するように、該原稿の搬送方向と直交する方向に沿って対向配置された第１線状光源と、前記原稿の第１面によって反射された前記第１線状光源からの光を縮小投影する縮小光学系と、該縮小光学系にて縮小投影された光を受光する第１ラインセンサーと、を備えることを特徴とする。これにより、第１シェーディング補正手段によるシェーディング補正を行うための原稿の第１面の画像データを確実に得ることができる。
【００１８】
好ましくは、前記第１シェーディング補正手段は、前記第１読取手段による第１黒色基準面の読取結果に基づいて前記第１ラインセンサーの黒色レベル調整を行い、前記第１読取手段による前記第１白色基準面の読取結果に基づいて前記第１ラインセンサーの白色レベル調整および配光補正を行うことを特徴とする。これにより、第１シェーディング補正手段によるシェーディング補正の信頼性を向上させることができる。
【００１９】
好ましくは、前記第２読取手段は、搬送される原稿の第２面に対して光を照射するように、該原稿の搬送方向と直交する方向に沿って対向配置された第２線状光源と、前記原稿の第２面によって反射された前記第２線状光源からの光を受光する密着型の第２ラインセンサーと、を備えていることを特徴とする。これにより、第２シェーディング補正手段によるシェーディング補正を行うための原稿の第２面の画像データを確実に得ることができる。
【００２０】
好ましくは、前記第２シェーディング補正手段は、前記第２読取手段による第２黒色基準面の読取結果に基づいて前記第２ラインセンサーの黒色レベル調整を行い、前記第２読取手段による前記第２白色基準面の読取結果に基づいて前記第２ラインセンサーの白色レ
ベル調整および配光補正を行うことを特徴とする。これにより、第２シェーディング補正手段によるシェーディング補正の信頼性を向上させることができる。
【００２１】
好ましくは、前記第２ラインセンサーの画像読取位置に回転可能に配置された回転体をさらに備え、該回転体は、前記画像読取位置に位置決めされる少なくとも２つの側面を有し、該２つの側面のそれぞれに前記第２黒色基準面および前記第２白色基準面が設けられていることを特徴とする。これにより、第２シェーディング補正手段によるシェーディング補正のための第２黒色基準面および第２白色基準面を確実に読み込むことができる。
【発明を実施するための最良の形態】
【００２２】
＜画像形成装置の概略構成＞
図１は、本発明の実施の形態に係る画像読取装置が設けられた画像形成装置の概略構成を示すブロック図である。
この画像形成装置は、記録用紙等の記録シート上にトナー画像を形成するための主要構成部が設けられた画像形成装置本体部１と、画像形成装置本体部１上に設けられたＡＤＦ（自動原稿給紙装置）２と、画像形成装置本体部１にて画像が形成された記録シートに対してソート等の後処理をする後処理装置３とを備えており、画像形成装置本体部１およびＡＤＦ２には、本発明に係る画像読取装置４が設けられている。
【００２３】
＜画像読取装置の概略構成＞
図２は、画像読取装置４の概略構成を示す図である。図２に示すように、ＡＤＦ２は、複数枚の原稿Ｄが載置される原稿搭載台２１を備えている。原稿搭載台２１上の原稿Ｄは、送り出しローラ２２によって原稿搭載台２１から搬送路２０に送り出され、分離ローラ２３によって１枚に分離されてレジストローラ２４に供給される。レジストローラ２４は、供給される１枚の原稿Ｄを所定の姿勢とし、かつ、所定のタイミングでプラテンローラ２５へ向けて搬送する。レジストローラ２４により搬送される原稿Ｄは、押圧ローラ２７によってプラテンローラ２５の外周面に略半周にわたって圧接されながら搬送され、画像形成装置本体部１の上面に設けられたスリットガラス１３上を通過する。
【００２４】
スリットガラス１３は、原稿搬送方向とは直交する方向に沿って直線状に延伸した状態で配置されている。画像形成装置本体部１の上部には、スリットガラス１３上を通過する原稿Ｄにおける下側に向けられた第１面（表面）の画像を読み取る第１読取手段であるスキャナ１０がスリットガラス１３の下方に設けられている。
ＡＤＦ２には、スリットガラス１３上を通過した原稿Ｄにおける第１面（表面）とは反対側の第２面（裏面）の画像を読み取る第２読取手段２６が設けられている。第２読取手段２６は、画像形成装置本体部１に設けられた第１読取手段としてのスキャナ１０とともに、画像読取装置４（図１参照）を構成している。
【００２５】
スリットガラス１３上を通過した原稿Ｄは、第２読取手段２６の直下の搬送経路を通過し、その通過の間に原稿Ｄにおける第２面の画像が第２読取手段２６によって読み取られる。第２読取手段２６の下方領域を通過した原稿Ｄは、排紙ローラ２８によって排紙台２９上に排出される。
第２読取手段２６の下方には、原稿Ｄの搬送経路を挟んで対向配置された六角柱状の回転体８１が設けられている。回転体８１は、軸心が原稿Ｄの搬送方向とは直交する方向に沿った状態で配置されている。回転体８１は、軸心周りに回転可能になっており、６つの側面のそれぞれが第２読取手段２６に対向した読取位置に位置決めされる。回転体８１の各側面は、後述するように、それぞれ、原稿Ｄの搬送のための一対の原稿ガイド面と、第２読取手段２６によって得られる画像データのシェーディング補正のための第２黒色基準データおよび第２白色基準データを得るための一対の第２黒色基準面および一対の第２白色基準面とになっている。
【００２６】
＜画像形成装置本体部のスキャナの構成＞
画像形成装置本体部１の上部には、原稿が載置される平板状のプラテンガラス１６が設けられている。このプラテンガラス１６は、スリットガラス１３に対して原稿搬送方向下流側に配置されている。
画像形成装置本体部１に設けられたスキャナ１０は、スリットガラス１３上を通過する原稿Ｄの第１面の画像およびプラテンガラス１６上に載置された原稿の画像を読み取る。スキャナ１０は、スリットガラス１３上を通過する原稿Ｄの第１面に向って光を照射する第１線状光源１５ａと、第１線状光源１５ａから照射されて原稿Ｄの第１面にて反射された光を縮小投影する縮小光学系１５と、縮小光学系１５にて縮小投影された光を受光する第１ラインセンサー１１とを備えている。
【００２７】
第１線状光源１５ａは、原稿搬送方向と直交する方向に沿って配置されている。第１ラインセンサー１１は、原稿搬送方向と直交する方向に沿って配置された複数の光電変換素子を有するＣＣＤ（Charge Coupled Device）によって構成されている。
縮小光学系１５は、第１線状光源１５ａから出射されてスリットガラス１３上を通過する原稿の第１面にて反射された光を略直角に反射する第１ミラー１５ｂと、この第１ミラー１５ｂにて反射された光をそれぞれ略直角に反射して光の方向を反転させる一対の第２ミラー１５ｃおよび第３ミラー１５ｄと、第３反射ミラー１５ｄにて反射された光を第１ラインセンサー１１に縮小投影する投影レンズ１５ｅとを備えている。線状光源１５ａおよび第１ミラー１５ｂは、第１ユニット１５１として矢印Ａで示す方向に一体的にスライド可能に構成されており、また、第２ミラー１５ｃおよび第３ミラー１５ｄは、第２ユニット１５２として矢印Ａで示す方向に一体的にスライド可能に構成されている。
【００２８】
プラテンガラス１６上に載置された原稿の第１面（下方に向けられた面）の画像を読み取る場合には、第１ユニット１５１がプラテンガラス１６の下面に沿って矢印Ａで示す方向にスライドされるとともに、第２ユニット１５２が、第１ユニット１５１に追従して１／２の速度で同方向に沿ってスライドされる。これによって、プラテンガラス１６上に載置された原稿の第１面の画像が第１ラインセンサー１１にて読み取られる。
【００２９】
プラテンガラス１６の下面におけるスリットガラス１３側の位置には、第１ラインセンサー１１のシェーディング補正のための基準板１７が設けられている。この基準板１７は、原稿搬送方向と直交する方向に沿って直線状に延びる長板状に構成されている。この基準板１７の下面には、原稿搬送方向に相互に隣接して配置された第１黒色基準面１７ａおよび第１白色基準面１７ｂが設けられている。第１黒色基準面１７ａおよび第１白色基準面１７ｂは、第１ラインセンサー１１の出力のシェーディング補正のための第１黒色基準データおよび第１白色基準データを得るための基準面になっている。
【００３０】
＜ＡＤＦの読取手段およびその周辺の構成＞
図３は、ＡＤＦ２に設けられた第２読取手段２６の概略構成をその周辺部の構成とともに示す図である。第２読取手段２６には、搬送経路を通過する原稿Ｄの第２面（裏面）に光を照射する一対の第２線状光源２６ａと、原稿Ｄの第２面にて反射された各第２線状光源２６ａからの光を受光する第２ラインセンサー２６ｂとが設けられている。
【００３１】
各第２線状光源２６ａは、ＬＥＤ、キセノンランプ等によって長尺に構成されており、原稿搬送方向の上流側および下流側において、原稿搬送方向とは直交する方向に沿って延伸した状態でそれぞれ配置されている。
第２ラインセンサー２６ｂは、原稿Ｄの幅方向（原稿搬送方向とは直交する方向）の全域にわたって反射光を受光するように直線状に配列された複数の光電変換素子を有する密着型ラインセンサー（ＣＩＳ：Contact Image Sensor）によって構成されており、各線状光源２６ａの間の位置において、各線状光源２６ａとは平行な状態で配置されている。
【００３２】
第２読取手段２６の下方に配置された六角柱状の回転体８１は、ＡＤＦ２の下面を覆うカバー９５に取り付けられている。カバー９５は、第２読取手段２６に対して離れる方向（図３において矢印Ｂにて示す方向）に回動可能になっており、ＡＤＦ２が画像形成装置本体１に対して上方に開放された状態で、カバー９５が矢印Ｂ方向に回動することによって、第２読取手段２６と回転体８１との間の原稿Ｄの搬送経路が開放される。カバー９５によって搬送経路が開放されたことは、カバー開閉センサー８９によって検出される。
【００３３】
回転体８１の下方には、ブラシ等の清掃部材８６が設けられており、回転体８１が回転されることによって、回転体８１の各側面に付着した紙粉等の埃が清掃部材８６によって除去される。
＜回転体の構成＞
図４（ａ）は回転体８１の斜視図、図４（ｂ）は回転体８１の側面図である。六角柱状の回転体８１に設けられた６つの側面のうち、相互に対向する一対の側面が、原稿Ｄが通過する際に原稿Ｄの搬送経路に沿った状態で原稿をガイドする平滑な原稿ガイド面８１ａになっており、相互に隣接する一対の側面が、それぞれ、第２読取手段２６のシェーディング補正に際して使用される第２黒色基準面８１ｂおよび第２白色基準面８１ｃになっている。
【００３４】
回転体８１の一方の端部には、ステッピングモータである回転体駆動モーター８４が、一対のギア８２および８３を介して連結されている。回転体８１の各原稿ガイド面８１ａ、各第２黒色基準面８１ｂおよび各第２白色基準面８１ｃは、それぞれ、原稿Ｄの搬送経路に沿った状態で、かつ、第２読取手段２６に対向した読取位置に位置決めされるように回転される。これにより、各原稿ガイド面８１ａ、各第２黒色基準面８１ｂおよび各第２白色基準面８１ｃは、第２読取手段２６の各第２線状光源２６ａから照射される光を第２ラインセンサー２６ｂが受光できるように反射する。回転体８１の他方の端部には、各原稿ガイド面８１ａ、各第２黒色基準面８１ｂ、各第２白色基準面８１ｃのそれぞれが、第２読取手段２６に対向した読取位置に位置決めされていることを検出する側面位置センサー８５が設けられている。
【００３５】
図３に示すように、回転体８１の下方には、回転体８１を清掃するためのブラシ等の清掃部材８６が設けられていることから、回転体８１が回転することによって、回転体８１の各側面に付着した紙粉等の埃が除去される。従って、一対の第２黒色基準面８１ｂおよび一対の第２白色基準面８１ｃは、紙粉等の埃等が付着していない清浄な状態で使用することができ、第２基準黒色データおよび第２基準白色データを正確に得ることができる。
【００３６】
＜画像形成装置本体部における処理＞
図１に戻って、画像形成装置本体部１には、スキャナ１０にて読み取られた原稿Ｄの第１面における読取画像データ、および、ＡＤＦ２における第２読取手段２６にて読み取られた原稿Ｄの第２面の読取画像データに基づいてその画像を公知の電子写真方式によって形成するプリンタ６と、プリンタ６を制御する画像データ制御部５とが設けられている。
【００３７】
＜画像データの処理＞
スキャナ１０の第１ラインセンサー１１および第２読取手段２６の第２ラインセンサー２６ｂのそれぞれによって得られる画像データは、画像データ処理部５における読取処理部５１にて、イエロー（Ｙ）、マゼンタ（Ｍ）、シアン（Ｃ）、ブラック（Ｋ）の各再現色に対応した画像データとされて、圧縮部５２にて圧縮された後に、例えば画像メモリ制御部５３を介して画像メモリ５５に入力される。
【００３８】
画像メモリ５５は、例えばＤＲＡＭにて構成されており、圧縮部５２から出力されたＹ、Ｍ、Ｃ、Ｋの各再現色に対応する圧縮画像データを記憶する圧縮メモリ５５ａおよびページメモリ５５ｂが設けられている。画像メモリ５５に対する画像データの記憶および読み出しは、画像メモリ制御部５３によって行われる。画像メモリ制御部５３は、圧縮されたＹ、Ｍ、Ｃ、Ｋの各再現色に対応した画像データを伸長部５４に出力する。
【００３９】
画像形成装置全体を制御する主制御部５７は、Ｙ、Ｍ、Ｃ、Ｋの各色に対応した圧縮画像データに基づいて、スキャナ制御部１２、ＡＤＦ制御部９１、プリンタ制御部６２に対してそれぞれ所定の指示を与え、また、画像メモリ制御部５３にも所定の指示を与える。これにより、スキャナ制御部１２、ＡＤＦ制御部９１、プリンタ制御部６２は、スキャナ１０、ＡＤＦ２、プリンタ６をそれぞれ制御する。また、プリンタ制御部６２は、プリントされた用紙に対する各種処理を行う後処理装置３の制御も行うようになっている。主制御部５７には、不揮発性メモリ５８に記憶された各種プログラム等に基づいて、それぞれの制御を実行する。
【００４０】
伸長部５４は、入力されるＹ、Ｍ、Ｃ、Ｋの各再現色に対応した圧縮画像データを伸長処理した後に書込み処理部５６に出力する。書込み処理部５６は、プリンタ６に設けられたレーザダイオード（ＬＤ）６１を駆動するための駆動信号を、Ｙ、Ｍ、Ｃ、Ｋのそれぞれの再現色毎に生成する。
プリンタ６には、Ｙ、Ｍ、Ｃ、Ｋの各再現色に対応する画像形成部６３Ｙ、６３Ｍ、６３Ｃ、６３Ｋが設けられている。各画像形成部６３Ｙ、６３Ｍ、６３Ｃ、６３Ｋには、感光体ドラムと、感光体ドラムの周囲に配置された帯電器、現像器、転写部、クリーナ等とが設けられている。
【００４１】
レーザダイオード（ＬＤ）６１からは、書込み処理部５６にて生成された駆動信号に基づいて、Ｙ、Ｍ、Ｃ、Ｋの各再現色に対応したレーザ光が出射される。レーザダイオード（ＬＤ）６１から出射されるレーザ光は、Ｙ、Ｍ、Ｃ、Ｋの各再現色に対応したそれぞれの感光体ドラムを、主走査方向に露光走査する。それぞれの感光体ドラムはレーザダイオード（ＬＤ）６１からのレーザ光による露光を受ける前に帯電器により帯電されており、その帯電された状態で露光を受けることによって静電潜像が形成される。各感光体ドラム上に形成された静電潜像は、Ｙ、Ｍ、Ｃ、Ｋの各色用の現像器により、対応する再現色の各トナーによって現像されて可視化される。各感光体ドラム上の各色のトナー画像は、転写位置において転写部の電界の作用により記録シートの所定領域上に重ねて転写される。これにより、フルカラーのトナー画像が記録シート上に形成される。
【００４２】
なお、プリンタ６における各画像形成部の感光体ドラムの回転、記録シートの搬送等の制御は、プリンタ制御部６２によって行われる。
＜操作部＞
画像形成装置本体部１には、タッチ入力式のＬＣＤ（液晶）パネル７１と、主制御部５７からの指示に基づいてＬＣＤパネル７１の表示を制御する操作制御部７２と、を備えた操作部７が設けられている。ＬＣＤパネル７１には、操作制御部７２によって、画像形成動作の開始の指示、両面に画像が形成された原稿における両面の画像をプリントする両面モードの指示、写真原稿等を高画質で読み取る写真モードの指示、プリント枚数の設定等のための画面が表示されて、オペレータが、表示された画面における所定位置にタッチすることによって、所定の信号が主制御部５７に入力される。
【００４３】
＜ＡＤＦの制御ブロック＞
図５は、ＡＤＦ２における制御系のブロック図である。ＡＤＦ２に設けられたＡＤＦ制御部９１には、原稿搭載台２１上の原稿Ｄがプラテンローラ２５に給紙されることを検出する給紙センサー８８、回転体８１の各側面が読取位置に位置決めされていることを検出する側面位置センサー８５、操作部７におけるＬＣＤパネル７１からのそれぞれの出力信号等が入力されている。ＡＤＦ制御部９１は、入力される給紙センサー８８、側面位置センサー８５、および、ＬＣＤパネル７１からのそれぞれの出力信号に基づいて、所定の信号をＡＤＦ駆動部９２に出力する。ＡＤＦ駆動部９２は、ＡＤＦ制御部９１からの信号に基づいて、原稿Ｄを給紙するために、送り出しローラ２２、分岐ローラ２３、プラテンローラ２５等を回転駆動させる給紙搬送モーター９３、回転体８１を回転駆動させる回転体駆動モーター８４、第２読取手段２６における各第２線状光源２６ａのオンオフのそれぞれを制御する。
【００４４】
＜ＡＤＦのシェーディング補正の制御＞
図６は、画像読取装置４のシェーディング補正の制御内容を示すフローチャートである。画像読取装置４のシェーディング補正は、画像データ制御部５に設けられた読取処理部５１において実行される。読取処理部５１は、ＬＣＤパネル７１からの画像形成動作の開始の指示によって、まず、スキャナ１０に設けられた第１ラインセンサー１１の出力をシェーディング補正するために必要な３つの補正係数を演算するフル演算を実行する（図６のステップＳ１参照、以下同様）。このフル演算では、黒色レベル調整のための黒色レベル補正係数と、白色レベル調整のための白色レベル補正係数と、第１線状光源１５ａにおける光量のばらつきを補正するための配光補正係数との全てがそれぞれ演算される。演算されたそれぞれの補正係数は、読取処理部５１において初期設定される。第１ラインセンサー１１のための補正係数のフル演算の詳細については後述する。
【００４５】
第１ラインセンサー１１のフル補正演算が実行されると、ＡＤＦ２において原稿Ｄが搬送されているかを給紙センサー８８の出力に基づいて判断する（ステップＳ２）。原稿Ｄが搬送されている場合（ステップＳ２で「ＹＥＳ」）には、両面モードが指示されているかを、操作部７のＬＣＤパネル７１からの出力に基づいて判断する（ステップＳ３）。ＬＣＤパネル７１において両面モードが指示されていない場合（ステップＳ３で「ＮＯ」）には、原稿の第１面（表面）に形成された画像のみを読み取ってプリントする片面モードであることが指示されているものとして、スキャナ制御部１２にその指示に対応する所定信号を出力する。
【００４６】
スキャナ制御部１２は、原稿Ｄがスリットガラス１３上に到達する前に、スキャナ１０をスリットガラス１３の直下に移動させて、原稿Ｄがスリットガラス１３上を通過する際に、移動されたスキャナ１０によって、原稿Ｄの第１面（表面）に形成された画像を読み取らせる。スキャナ１０の第１ラインセンサー１１からは、読み取られた画像に対応するデータが読取処理部５１および圧縮部５２を介して画像メモリ制御部５３に出力される。
【００４７】
読取処理部５１では、第１ラインセンサー１１から出力された画像データを、フル演算の実行によって初期設定された黒色レベル補正係数、白色レベル補正係数、配光補正係数の全てに基づく第１ラインセンサー１１の出力のシェーディング補正(以下、このシェーディング補正をフルシェーディング補正とする)を実施して（ステップＳ４）、ステップＳ５に進む。なお、プリンタ６では読み取られた画像データに基づいてプリント動作が実施される。
【００４８】
ステップＳ５では、ＡＤＦ２において新たに原稿Ｄが給紙されているかを判断する。そして、新たな原稿Ｄが給紙されている場合には、ステップＳ４でのシェーディング補正が実行されて、プリンタ6において新たな原稿Ｄに対するプリント動作が実行される。新たな原稿Ｄが給紙されていない場合には、シェーディング補正の制御が終了する。
ステップＳ３において両面モードが指示されている場合（ステップＳ３において「ＹＥＳ」）には次の処理が実行される。
【００４９】
＜写真モードの場合の処理＞
原稿の第１面（表面）および第２面（裏面）に形成された各画像が写真のような高精細な画像であることを示す写真モードが指示されているかを、操作部７におけるＬＣＤパネル７１からの出力に基づいて判断する（ステップＳ６）。オペレータは、写真モードの原稿であることについてＬＣＤパネル７１に入力する。写真モードが指示されていると判断される場合（ステップＳ６において「ＹＥＳ」）には、ＡＤＦ２に設けられた第２読取手段２６の第２ラインセンサー２６ｂのための３つの補正係数のフル演算を実行する（ステップＳ７）。
【００５０】
第２ラインセンサー２６ｂのための補正係数のフル演算は、第２ラインセンサー２６ｂの出力に対する黒色レベル補正係数、白色レベル補正係数、配光補正係数をそれぞれ演算するものである。第２ラインセンサー２６ｂのための３つの補正係数のフル演算の詳細については後述する。
その後、原稿Ｄが搬送されることによって、原稿Ｄの第１面（表面）に形成された画像がスキャナ１０によって読み取られる。このとき、スキャナ１０の第１ラインセンサー１１からは、読み取られた画像に対応するデータが読取処理部５１および圧縮部５２を介して画像メモリ制御部５３に出力される。
【００５１】
読取処理部５１では、第１ラインセンサー１１から出力された画像データを、ステップＳ１において実行された第１ラインセンサー１１のための補正係数のフル演算によって初期設定された３つの補正係数のそれぞれに基づいてフルシェーディング補正する（ステップＳ８）。このシェーディング後の画像データに基づいて、プリンタ６におけるプリント動作が行われる。
【００５２】
スリットガラス１３上を通過した原稿Ｄは、第２読取手段２６の直下の搬送経路内を通過する。なお、この場合、回転体８１は、原稿ガイド面８１ａが第２読取手段２６に対向するように回転されて位置決めされている。
第２読取手段２６の直下を原稿Ｄが通過する際には、原稿Ｄの第２面における画像が第２読取手段２６によって読み取られる。第２読取手段２６の第２ラインセンサー２６ｂからは、読み取られた画像に対応する画像データが読取処理部５１に出力される。
【００５３】
読取処理部５１では、第２ラインセンサー２６ｂから出力された画像データを、ステップＳ７において実行された第２ラインセンサー２６ｂのための補正係数のフル演算によって得られた３つの補正係数のそれぞれに基づいてフルシェーディング補正が行われる（ステップＳ９）。
プリンタ６では、このシェーディング補正後の画像データに基づいて第２面の画像に対するプリントが行われる。
【００５４】
読取処理部５１では、ＡＤＦ２において新たに原稿Ｄが給紙されているかを判断する（ステップＳ１０）。そして、新たな原稿Ｄが給紙されている場合には、ステップＳ８およびステップＳ９での第２ラインセンサー２６ｂのためのシェーディング補正が実行され、プリンタ6では、シェーディング補正された画像データに基づくプリント動作が実行される。
【００５５】
＜写真モードでない場合の処理＞
次に、両面モードであるが写真モードでない場合（ステップＳ６において「ＮＯ」）について、以下に説明する。
ステップＳ６において「ＮＯ」の場合には、読取処理部５１は、原稿の画像が写真以外の文字などの階調再現性をあまり要求されない文字モードが指示されているものと判断して、ＡＤＦ２に設けられた第２読取手段２６における第２ラインセンサー２６ｂの出力の配光補正のための第２配光補正係数を簡易的に演算する（ステップＳ１１）。
【００５６】
この第２ラインセンサー２６ｂの第２配光補正係数の簡易演算は、搬送される原稿Ｄの第１面および第２面の先端部における余白部分にて反射されたそれぞれの光を受光した第１ラインセンサー１１および第２ラインセンサー２６ｂの出力に基づいて、第２ラインセンサー２６ｂの第２配光補正係数を演算するものであり、その詳細については後述する。
第２ラインセンサー２６ｂのための第２配光補正係数の演算が実行されると、前述の写真モードの場合と同様に、第１ラインセンサー１１から出力される原稿Ｄの第１面に形成された画像に対応した画像データが、ステップＳ１において実行された第１ラインセンサー１１のための補正係数のフル演算によって初期設定された３つの補正係数のそれぞれに基づいてフルシェーディング補正される（ステップＳ１２）。そして、プリンタ６において、原稿Ｄの第１面に形成された画像に対応するプリント動作が実行される。
【００５７】
また、第２ラインセンサー２６ｂから出力される原稿Ｄの第２面に形成された画像に対応した画像データが、ステップＳ１１における簡易演算によって得られた第２配光補正係数のみに基づくシェーディング補正（以下、このシェーディング補正を簡易シェーディング補正とする）が行われる（ステップＳ１３）。そして、プリンタ６において、原稿Ｄの第２面に形成された画像に対応したトナー画像が記録シートの第２面上に形成される。
【００５８】
その後、読取処理部５１は、ＡＤＦ２において新たに原稿Ｄが給紙されているかを判断する（ステップＳ１４）。新たな原稿Ｄが給紙されている場合には、ステップＳ１２およびステップＳ１３でのシェーディング補正と、プリンタ6での新たな原稿Ｄの画像に対するプリント動作が実行される。
＜第１ラインセンサーのための補正係数のフル演算＞
図７は、図６のステップＳ１におけるフル演算のサブルーチンを示すフローチャートである。第１ラインセンサー１１のための補正係数のフル演算に際して、まず、スキャナ１０における第１線状光源１５ａからの光が基準板１７の第１黒色基準面１７ａにて反射されて第１ラインセンサー１１にて受光されるように、縮小光学系１５の第１ユニット１５１および第２ユニット１５２が、図１に破線で示すように矢印Ａ方向にスライドされる。この場合、第２ユニット１５２は、第１ユニット１５１の１／２の距離だけスライドされる。
【００５９】
このような状態で第１線状光源１５ａが点灯されることによって、基準板１７の第１黒色基準面１７ａに光が照射されて、その反射光が第１ラインセンサー１１にて受光される（図７のステップＳ２１）。第１ラインセンサー１１は、基準板１７の第１黒色基準面１７ａにて反射された光の光量に対応した電圧を、画像データ制御部５における読取処理部５１に出力する。
【００６０】
読取処理部５１では、第１黒色基準面１７ａにて反射された光の光量に基づく第１ラインセンサー１１の出力電圧に基づいて、第１ラインセンサー１１の黒色に対する出力電圧のレベルを調整するための第１黒色レベル補正係数を演算する（ステップＳ２２）。
その後、スキャナ１０における第１線状光源１５ａからの光が基準板１７の第１白色基準面１７ｂにて反射されて第１ラインセンサー１１にて受光されるように、縮小光学系１５の第１ユニット１５１および第２ユニット１５２がそれぞれ所定の距離だけスライドされる。
【００６１】
このような状態で第１線状光源１５ａが点灯されることによって、基準板１７の第１白色基準面１７ｂに光が照射されて、その反射光が第１ラインセンサー１１にて受光される（ステップＳ２３）。第１ラインセンサー１１は、基準板１７の第１白色基準面１７ｂにて反射された光の光量に対応した電圧を、画像データ制御部５における読取処理部５１に出力する。
【００６２】
読取処理部５１では、第１白色基準面１７ｂにて反射された光の光量に基づく第１ラインセンサー１１の出力電圧を白色基準データとして記憶するとともに、その白色基準データに基づいて、第１ラインセンサー１１の白色に対する出力電圧のレベルを調整するための第１白色レベル補正係数を演算する（ステップＳ２４）。
さらに、読取処理部５１は、第１白色基準面１７ｂにて反射された第１線状光源１５ａからの光の光量に基づく第１ラインセンサー１１からの出力電圧に基づいて、第１線状光源１５ａの軸方向の光量のばらつきによる出力電圧のばらつきを補正するための第１配光補正係数を演算する（ステップＳ２５）。この第１配光補正係数は、第１白色基準面１７ｂを読み取ったときの第１ラインセンサー１１の出力電圧を第１線状光源１５ａの軸方向（主走査方向に対応）のどの位置でも電圧値が略同じになるように、第１線状光源１５ａにおける光量の平均値に対応した電圧にするために必要な係数である。
【００６３】
以上により、第１ラインセンサー１１のための３つの補正係数のフル演算が終了し、演算された第１黒色レベル補正係数、第１白色レベル補正数、および第１配光補正係数は、読取処理部５１に記憶される。そして、演算された第１黒色レベル補正係数、第１白色レベル補正数、および第１配光補正係数によって、図６のステップＳ４、ステップＳ８、ステップＳ１２における第１ラインセンサー１１の出力のシェーディング補正が行われる。
【００６４】
＜第２ラインセンサーのための補正係数のフル演算＞
図８は、図６のステップＳ７における第２ラインセンサー２６ｂのための３つの補正係数のフル演算のサブルーチンを示すフローチャートである。第２ラインセンサー２６ｂのための補正係数のフル補正演算に際して、まず、回転体８１の第２黒色基準面８１ｂが第２読取手段２６に対向するように、ステッピングモータである回転体駆動モーター８４が駆動される。第２黒色基準面８１ｂが第２読取手段２６に対向した読取位置に位置決めされることは、回転体８１に設けられた側面検出センサー８５によって検出される。その後、第２読取手段２６の各第２線状光源２６ａが点灯されて第２黒色基準面８１ｂに光が照射され、第２黒色基準面８１ｂでの反射光が第２ラインセンサー２６ｂにて受光される（図８のステップＳ３１）。第２ラインセンサー２６ｂは、回転体８１の第２黒色基準面８１ｂにて反射された光の光量に対応した電圧を、画像データ制御部５における読取処理部５１に出力する。
【００６５】
読取処理部５１では、第２黒色基準面８１ｂにて反射された光の光量に基づく第２ラインセンサー２６ｂの出力電圧に基づいて、第２ラインセンサー２６ｂの黒色に対する出力電圧のレベルを調整するための第２黒色レベル補正係数を演算する（ステップＳ３２）。
第２黒色レベル補正係数が演算されると、回転体８１の第２白色基準面８１ｃが第２読取手段２６に対向するように回転体駆動モーター８４が駆動される。第２白色基準面８１ｃが第２読取手段２６に対向した読取位置に位置決めされていることは、回転体８１に設けられた側面検出センサー８５によって検出される。
【００６６】
このような状態で第２読取手段２６の各線状光源２６ａが点灯されて第２白色基準面８１ｃに光が照射され、第２白色基準面８１ｃでの反射光が第２ラインセンサー２６ｂにて受光される（図８のステップＳ３３）。第２ラインセンサー２６ｂは、回転体８１の第２白色基準面８１ｃにて反射された光の光量に対応した電圧を、画像データ制御部５における読取処理部５１に出力する。
【００６７】
読取処理部５１では、第２白色基準面８１ｃにて反射された光の光量に対応した第２ラインセンサー２６ｂの出力電圧に基づいて、第２ラインセンサー２６ｂの白色に対する出力電圧のレベルを調整するために必要な第２白色レベル補正係数を演算する（ステップＳ３４）。
さらに、読取処理部５１では、第２白色基準面８１ｃにて反射された第２線状光源２６ａからの光の光量に基づく第２ラインセンサー２６ｂの出力電圧に基づいて、第２線状光源２６ａの軸方向の光量のばらつきによる出力電圧のばらつきを補正するための第２配光補正係数を演算する（ステップＳ３５）。この第２配光補正係数は、第２白色基準面８１ｃを読み取った第２ラインセンサー２６ｂの出力電圧を、主走査方向のどの位置でも電圧値が略同じになるように、第２線状光源２６ａにおける光量の平均値に対応した電圧にするために必要な係数である。
【００６８】
以上により、第２ラインセンサー２６ｂのための補正係数のフル演算が完了し、演算された第１黒色レベル補正係数、第１白色レベル補正数、および第１配光補正係数は、読取処理部５１に記憶される。そして、演算された第１黒色レベル補正係数、第１白色レベル補正数、および第１配光補正係数によって、図６のステップＳ９における第２ラインセンサー２６ｂの出力のフルシェーディング補正が行われる。
【００６９】
＜第２ラインセンサーのため第２配光補正係数の簡易演算＞
図９は、図６のステップＳ１１における第２配光補正係数の簡易演算のサブルーチンを示すフローチャートである。第２配光補正係数の簡易演算は、第２読取手段２６によって白色基準面８１ｃを読み取らずに第２配光補正係数を簡易的に求めるものであり、ＡＤＦ２における原稿台２１上の原稿Ｄがスリットガラス１３上を通過することによって開始する。
【００７０】
原稿Ｄがスリットガラス１３上を通過する際には、画像形成装置本体部１に設けられたスキャナ１０の第１線状光源１５ａが点灯される。これにより、スリットガラス１３上を通過する原稿Ｄの先端部における余白部分に光が照射され、原稿Ｄの先端部における余白部分にて反射された光が、第１ラインセンサー１１にて受光される。第１ラインセンサー１１では、受光された光の光量に対応した電圧が画像データ処理部５における読取処理部５１に出力される（ステップＳ４１）。
【００７１】
読取処理部５１では、例えばステップＳ２４において、第１ラインセンサー１１に対する第１白色レベル補正係数および第１配光補正係数を求める際に、第１線状光源１５ａから照射されて白色基準面１７ｂによって反射された光に基づく第１ラインセンサー１１からの出力が白色基準データとして予め求められて記憶されていることから、その白色基準データと現在読み取った第１ラインセンサー１１からの実際の出力電圧との差分を演算する（ステップＳ４２）。
【００７２】
その後、スリットガラス１３上を通過した原稿Ｄは、第２読取手段２６の直下の搬送経路内を通過する。なお、この場合、回転体８１は、原稿ガイド面８１ａが第２読取手段２６に対向するように位置決めされている。
第２読取手段２６の直下の搬送経路内を原稿Ｄが通過する際には、原稿Ｄの第２面における先端部の余白部分（第１面の先端部における余白部分としてスキャナ１０にて読み取られた部分の裏側に相当）が第２読取手段２６によって読み取られる。第２読取手段２６の第２ラインセンサー２６ｂは、原稿Ｄの第２面における先端部の余白部分にて反射された光を受光する。
【００７３】
第２ラインセンサー２６ｂは、受光された光の光量に対応した電圧を画像データ処理部５における読取処理部５１に出力する（ステップＳ４３）。
読取処理部５１では、ステップＳ４２にて演算された差分に関するデータを第２ラインセンサー２６ｂ用に変換して、第２ラインセンサー２６ｂの出力電圧を補正し（ステップＳ４４）、補正された第２ラインセンサー２６ｂの出力に基づいて、第２ラインセンサー２６ｂの出力を配光補正するために必要な第２配光補正係数を演算する（ステップＳ４５）。
【００７４】
この場合、ステップＳ４２にて演算された差分は、白色基準面および原稿の第１面における余白部分のそれぞれを読み取ったときの電位差に相当する。原稿の第１面および第２面の余白部分は、原稿の地肌部分であることから同様の反射特性を有しており、第２ラインセンサー２６ｂでも、原稿の第２面における余白部分を読み取ったときには同じ程度の差が得られるはずであるが、双方は出力特性が相違することによって出力される電圧が異なることから、同じ差分を適用できない。そこで、第１ラインセンサー１１の出力特性と第２ラインセンサー２６ｂの出力特性との相関関係を予め求めておいて、その相関関係を用いて、第１ラインセンサー１１を読み取ったときに得られる白色基準データとの差分を、第２読取手段２６で読み取った場合に生じると思われる大きさの差分に変換し、変換により得られた第２読取手段２６での差分を、第２読取手段２６で読み取った余白部分に対応する第２ラインセンサー２６ｂのデータに適用して、第２読取手段２６で白色基準面を読み取ったときに得られるデータに相当する値に補正し、補正したデータを用いて第２配光補正係数を生成するものである。以上により、第２ラインセンサー２６ｂのための第２配光補正係数が簡易演算される。
【００７５】
第２ラインセンサー２６ｂの出力を配光補正するために必要な第２配光補正係数が簡易演算されると、得られた第２配光補正係数によって、図６のステップＳ１３における第２ラインセンサー２６ｂの出力が簡易シェーディング補正される。
文字画像が形成される原稿Ｄでは、通常、周縁部に文字画像が形成されていない余白部分が設けられており、しかも、この余白部分は、原稿Ｄの地肌部分であることから、表面と裏面とでは、通常、同様の反射特性を有している。従って、余白部分に対する第１ラインセンサー１１の出力電圧に基づいて、余白部分に対する第２ラインセンサー２６ｂの出力電圧を補正し、補正された第２ラインセンサー２６ｂの出力電圧に基づいて演算された第２配光補正係数によって配光補正を実施することで、補正された画像データは、原稿Ｄにおける文字画像に対して良好な再現性を有している。
【００７６】
また、簡易シェーディング補正は、回転体８１の第２黒色基準面８１ｂおよび第２白色基準面８１ｃからの反射光を使用する必要がないために、回転体８１を回転および停止して第２黒色基準面８１ｂおよび第２白色基準面８１ｃを位置決めするための時間が不要になり、処理時間を短縮することができる。
なお、上記実施の形態では、簡易シェーディング補正のための第２配光係数を、ステップＳ１において求められた白色基準データに基づいて演算する構成であったが、このような構成に限らず、適当なタイミングによって得られた白色基準データを用いてもよい。
【００７７】
また、原稿の画像が写真モードであるかの指示に基づいて、原稿の第２面の画像データに対してフルシェーディング補正を行うか簡易シェーディング補正を行うかを決定していたが、このような構成に限らない。例えば、原稿を構成する紙質、色等の原稿自体のシート特性（反射特性）に基づいてフルシェーディング補正を行うか簡易シェーディング補正を行うかを決定してもよい。具体的には、原稿が薄紙としてのシート特性を有しているきには簡易シェーディング補正を禁止することができる。薄紙は、通常、普通紙、厚紙よりも遮光しにくいために、原稿の余白部分の反射光を受光して配光特性を補正すると精度が低くなるおそれがあるからである。ＯＨＰシートも光を透過するために、薄紙のときと同様に、簡易シェーディング補正を禁止することができる。なお、原稿が白色でなくて着色されている場合、光透過性を有する場合等にも簡易シェーディング補正を禁止することができる。なお、原稿のシート特性の判断は、操作部におけるＬＣＤパネルからシート特性の入力を受け付ける構成とすることができる。また、搬送される原稿に光を照射して、その反射光を光学センサーによって受光し、その受光量から原稿の光透過性を検出することにより、シート特性を光学的に判断するようにしてもよい。
【００７８】
また、第２配光補正係数の簡易演算に際して原稿の第１面および第２面の先端部における余白部分の反射光を受光する構成としたが、これに限らず、例えば、原稿の第１面および第２面の後端の余白部分の反射光を受光する構成、または、一方を先端の余白部分の反射光の受光、他方を後端の余白部分の反射光の受光とする構成としてもよい。
さらに、上記実施の形態では、第２読取手段２６の下方に回転体８１を設けて、回転体８１の各側面に第２黒色基準面８１ｂおよび第２白色基準面８１ｃを設ける構成であったが、第２黒色基準面８１ｂおよび第２白色基準面８１ｃを同一の平板上に設けて、その平板における第２黒色基準面８１ｂおよび第２白色基準面８１ｃが第２読取手段２６にて読み取られるように、平板をスライドさせる構成、あるいは、第２読取手段２６をスライドさせる構成としてもよい。
【産業上の利用可能性】
【００７９】
本発明は、ＡＤＦに第２読取手段が設けられた複写機等の画像形成装置の技術分野に広く適用することができる。本発明によって、第２読取手段による写真画像のような高精細な画像のデータを再現性よく得ることができ、また、文字画像のシェーディング補正の処理を効率よく行うことができるために、その産業的利用価値は極めて高い。
【図面の簡単な説明】
【００８０】
【図１】本発明の実施の形態における画像読取装置が備えられた画像形成装置の概要を示すブロック図である。
【図２】図１に示す画像読取装置の構成を示す概略図である。
【図３】ＡＤＦに設けられた第２読取手段の概略構成をその周辺部の構成とともに示す断面図である。
【図４】（ａ）は、図３に示すＡＤＦに設けられた回転体の斜視図、（ｂ）はその回転体の構成を示す側面図である。
【図５】ＡＤＦにおける制御系のブロック図である。
【図６】本発明の画像読取装置のシェーディング補正の制御内容を示すフローチャートである。
【図７】図６に示されたフローチャートにおける第１ラインセンサーための補正係数のフル演算のサブルーチンを示すフローチャートである。
【図８】図６に示されたフローチャートにおける第２ラインセンサーための補正係数のフル演算のサブルーチンを示すフローチャートである。
【図９】図６に示されたフローチャートにおける第２ラインセンサーのための第２配光補正係数の簡易演算のサブルーチンを示すフローチャートである。
【符号の説明】
【００８１】
１        画像形成装置本体部
２        ＡＤＦ
３        後処理装置
４        画像読取装置
５        画像データ制御部
６        プリンタ
７        操作部
１０      スキャナ
１１      第１ラインセンサー
１２      スキャナ制御部
１５      縮小光学系
１５ａ    第１線状光源
１７      基準板
１７ａ    第１黒色基準面
１７ｂ    第１白色基準面
２５      プラテンローラ
２６      第２読取手段
２６ａ    第２線状光源
２６ｂ    第２ラインセンサー
５１      読取処理部
５３      画像メモリ制御部
５６      書込み処理部
７１      ＬＣＤパネル
８１      回転体
８１ａ    原稿ガイド面
８１ｂ    第２黒色基準面
８１ａ    第２白色基準面
８４      回転体駆動モーター
【図１】
2010004110.tif 000003
【図２】
2010004110.tif 000004
【図３】
2010004110.tif 000005
【図４】
2010004110.tif 000006
【図５】
2010004110.tif 000007
【図６】
2010004110.tif 000008
【図７】
2010004110.tif 000009
【図８】
2010004110.tif 000010
【図９】
2010004110.tif 000011